(57)【特許請求の範囲】
【請求項１】
傾斜した天窓の上部に巻取軸を回転可能に支持し、前記巻取軸にスクリーンを巻取り及び巻き戻し可能に巻着し、前記スクリーンを前記天窓に沿って移動可能に支持した中間パイプを経て下方へ垂下して、前記天窓と該天窓の下部に連なる垂直窓に沿ってスクリーンを昇降可能とした天窓用ロールブラインドのスクリーン昇降装置において、
前記中間パイプには、該中間パイプがその移動範囲の下限以外に位置するとき該中間パイプの回転を阻止し、該中間パイプが下限に位置するとき、該中間パイプを回転可能とするスクリーン保持装置を備えたことを特徴とする天窓用ロールブラインドのスクリーン昇降装置。
【請求項２】
前記スクリーン保持装置は、
前記中間パイプを回転可能に支持するサイドプレートと、
前記中間パイプの端部に形成された歯車と、
前記サイドプレートに支持され、前記歯車に係合して前記中間パイプの回転を阻止するとともに、前記中間パイプが下限に位置するとき、前記歯車との係合を解除して該中間パイプを回転可能とするロックピンと
から構成したことを特徴とする請求項１記載の天窓用ロールブラインドのスクリーン昇降装置。
【請求項３】
前記ロックピンには前記歯車に係合可能とした係止凸部を設け、前記サイドプレートを支点とするコイルスプリングにより前記係止凸部を前記歯車に向かって付勢し、前記中間パイプが下限に位置するとき、前記天窓の下縁部に設けられた支持枠で前記ロックピンを押圧して前記係止凸部と歯車との係合を解除可能としたことを特徴とする請求項２記載の天窓用ロールブラインドのスクリーン昇降装置。
【請求項４】
前記サイドプレート間に中間バーを支持し、前記天窓に沿って支持されたガイドワイヤ上に前記中間バーを移動可能に支持して、前記中間パイプを前記天窓に沿って移動可能に支持したことを特徴とする請求項２または３記載の天窓用ロールブラインドのスクリーン昇降装置。
【請求項５】
前記スクリーンの下端部には前記スクリーンの巻取り操作時に、前記サイドプレートに下方から当接して、前記中間バーを前記ガイドワイヤに沿って押し上げ可能としたボトムバーを取着したことを特徴とする請求項４記載の天窓用ロールブラインドのスクリーン昇降装置。
【発明の詳細な説明】
【０００１】
【発明の属する技術分野】
この発明は、傾斜した天窓に垂直窓が連なる窓に設置される天窓用ロールブラインドのスクリーン昇降装置に関するものである。
【０００２】
【従来の技術】
ロールブラインドの一種類として、傾斜した天窓及びその天窓に連なる垂直窓の採光量を調節可能としたものがある。
【０００３】
特開昭６３−１８１８８２号公報に開示されたロールブラインドは、傾斜した天窓に沿って配設された案内レール間に中間バーが移動可能に支持されている。また、スクリーンは中間バーに支持されるとともに、中間バーより下方に位置するスクリーンの下端にはボトムバーが取着されている。
【０００４】
このようなロールブラインドでは、巻取りパイプからスクリーンを巻戻すと、中間バーとボトムバーが案内レールに沿って下降することにより、天窓に沿ってスクリーンが引き出される。
【０００５】
そして、中間バーが案内レール下端部に達すると、中間バーのそれ以上の移動が阻止された状態で、ボトムバーが下降して、垂直窓に沿ってスクリーンが下降する。
【０００６】
このとき、中間バーはスクリーンの下降にともなって回転可能であるため、スクリーンが円滑に下降する。
また、スクリーンを巻取りパイプに巻き取ると、スクリーンが垂直窓に沿って引き上げられ、ボトムバーが案内レールの下端部に達して中間バーに当接すると、中間バーがボトムバーとともに案内レールに沿って引き上げられる。
【０００７】
そして、ボトムバーを巻取りパイプ近傍まで引き上げると、天窓及び垂直窓が全開状態となる。
【０００８】
【発明が解決しようとする課題】
上記のようなロールブラインドでは、ボトムバーとともに中間バーを案内レールに沿って下降させて、スクリーンを天窓に沿って下降させるとき、中間バーが案内レールの下端部に達しない状態で回転すると、ボトムバー及びスクリーンが案内レールの中間部、すなわち垂直窓から離れた位置で下降してしまうという問題点がある。
【０００９】
この発明の目的は、スクリーンを垂直窓に沿って円滑に昇降可能としながら、中間バーが天窓に沿って移動するとき、中間バーからのボトムバーの下降動作を確実に防止し得る天窓用ロールブラインドのスクリーン昇降装置を提供することにある。
【００１０】
【課題を解決するための手段】
請求項１では、傾斜した天窓の上部に巻取軸を回転可能に支持し、前記巻取軸にスクリーンを巻取り及び巻き戻し可能に巻着し、前記スクリーンを前記天窓に沿って移動可能に支持した中間パイプを経て下方へ垂下して、前記天窓と該天窓の下部に連なる垂直窓に沿ってスクリーンを昇降可能とした天窓用ロールブラインドのスクリーン昇降装置において、前記中間パイプには、該中間パイプがその移動範囲の下限以外に位置するとき該中間パイプの回転を阻止し、該中間パイプが下限に位置するとき、該中間パイプを回転可能とするスクリーン保持装置を備えた。
【００１１】
請求項２では、前記スクリーン保持装置は、前記中間パイプを回転可能に支持するサイドプレートと、前記中間パイプの端部に形成された歯車と、前記サイドプレートに支持され、前記歯車に係合して前記中間パイプの回転を阻止するとともに、前記中間パイプが下限に位置するとき、前記歯車との係合を解除して該中間パイプを回転可能とするロックピンとから構成した。
【００１２】
請求項３では、前記ロックピンには前記歯車に係合可能とした係止凸部を設け、前記サイドプレートを支点とするコイルスプリングにより前記係止凸部を前記歯車に向かって付勢し、前記中間パイプが下限に位置するとき、前記天窓の下縁部に設けられた支持枠で前記ロックピンを押圧して前記係止凸部と歯車との係合を解除可能とした。
【００１３】
請求項４では、前記サイドプレート間に中間バーを支持し、前記天窓に沿って支持されたガイドワイヤ上に前記中間バーを移動可能に支持して、前記中間パイプを前記天窓に沿って移動可能に支持した。
【００１４】
請求項５では、前記スクリーンの下端部には前記スクリーンの巻取り操作時に、前記サイドプレートに下方から当接して、前記中間バーを前記ガイドワイヤに沿って押し上げ可能としたボトムバーを取着した。
【００１５】
【発明の実施の形態】
図１に示すように、天窓用ロールブラインドのスクリーン巻取軸は、傾斜した天窓の上枠近傍に一対の支持ブラケット１が取着され、その支持ブラケット１間に巻取軸（図示しない）が回転可能に支持されている。そして、巻取軸にスクリーン２が巻取りあるいは巻戻し可能に巻着されている。
【００１６】
前記巻取軸の上方には、天窓に沿って二本のガイドワイヤ３が張設されている。すなわち、ガイドワイヤ３は、前記支持ブラケット１の上方において、天窓の上枠に取着される張力調整装置４と、垂直窓の上方に位置する支持枠１４との間に張設される。前記張力調整装置４は、ガイドワイヤ３の張力を調整可能となっている。
【００１７】
前記ガイドワイヤ３には、中間バー５が同ガイドワイヤ３上を移動可能に支持されている。前記中間バー５の両端にはサイドプレート６がそれぞれ取着され、両サイドプレート６間には中間パイプ７が回転可能に支持されている。前記中間パイプ７の両端部には、歯車８が形成されている。
【００１８】
前記サイドプレート６の前後両縁には、前記中間パイプ７の歯車８部分を覆うように、同中間パイプ７の中央部方向に折り曲げられる支持片９が形成されている。前記支持片９には、前記中間パイプ７の上方において、同支持片９を貫通するロックピン１０が設けられ、そのロックピン１０の中間部には係止凸部１１が形成され、基端部には抜け止め１２が形成されている。
【００１９】
前記係止凸部１１と支持片９との間には、コイルスプリング１３が配設され、支持片９を支点とするコイルスプリング１３の付勢力により、ロックピン１０が矢印方向に付勢されている。
【００２０】
そして、図３に示すように、コイルスプリング１３の付勢力によりロックピン１０の先端が支持片９から突出する状態では、係止凸部１１が歯車８に係合して、中間パイプ７の回転が阻止される。
【００２１】
また、図２に示すように、支持片９が前記支持枠１４に当接して、ロックピン１０がコイルスプリング１３の付勢力に抗して押し戻されると、係止凸部１１と歯車８との係合が解除されて、中間パイプ７が回転可能な状態となる。
【００２２】
前記スクリーン２は、前記中間パイプ７に掛装されて下方へ垂下され、その下端にはボトムバー１５が取着されている。前記ボトムバー１５は、その両端部で前記サイドプレート６を押し上げ可能とする長さに形成される。
【００２３】
前記巻取軸を回転操作するための無端状の操作コード１６は、巻取軸の一端に設けられるプーリー（図示しない）に掛装され、その無端縁は前記支持枠１４の下方に支持される滑車１７を経て、垂直窓近傍に垂下される。
【００２４】
そして、操作コード１６を操作して巻取軸をスクリーン２巻取り方向に回転させると、スクリーン２が巻取軸に巻き取られてボトムバー１５が引き上げられ、巻取軸をスクリーン２巻戻し方向に回転させると、スクリーン２が巻取軸から巻き戻されてボトムバー１５が下降する。
【００２５】
次に、上記のように構成された天窓用ロールブラインドの動作を説明する。
巻取軸からスクリーン２を巻き戻して、ボトムバー１５を下限まで下降させた状態では、中間バー５は支持枠１４に当接する状態まで下降し、スクリーン２が中間パイプ７を経て垂下されて、垂直窓近傍に吊下支持される。この状態では、垂直窓はスクリーン２により全閉状態となる。
【００２６】
この状態から、操作コード１６を操作して巻取軸をスクリーン２巻取り方向に回転させると、スクリーン２が巻取軸に巻き取られて、ボトムバー１５が引き上げられる。
【００２７】
図２に示すように、やがてボトムバー１５がサイドプレート６に当接し、この状態でスクリーン２がさらに巻き取られると、図３に示すように、中間バー５がガイドワイヤ３上を巻取軸方向に移動し、中間パイプ７及びボトムバー１５が中間バー５と一体に移動する。
【００２８】
このとき、サイドプレート６が支持枠から離間すると、図３に示すようにコイルスプリング１３の付勢力により係止凸部１１が歯車８に係合して、中間パイプ７は回転不能となる。そして、中間バー５が巻取軸近傍まで移動すると、天窓が全開状態となる。
【００２９】
中間バー５を巻取軸近傍まで移動させた状態から、巻取軸をスクリーン２巻戻し方向に回転させると、中間バー５、中間パイプ７及びボトムバー１５の重量により、中間バー５がガイドワイヤ３上を下降し、スクリーン２が天窓に沿って引き出される。
【００３０】
このとき、係止凸部１１が歯車８に係合しているので、中間パイプ７の回転は阻止されている。従って、図３に示すように、ボトムバー１５は中間パイプ７から離間して下降することなく、中間パイプ７と一体に移動する。
【００３１】
従って、サイドプレート６に支持されたロックピン１０及び中間パイプ７の歯車８が、天窓の中間部でのスクリーンの下降を阻止するスクリーン保持装置として作用する。
【００３２】
中間バー５が支持枠近傍まで下降して、図２に示すように、サイドプレート６が支持枠１４に当接すると、ロックピン１０が支持枠１４に押圧されることにより、係止凸部１１と歯車８との係合が解除され、中間パイプ７が回転可能な状態となる。
【００３３】
この状態から、巻取軸をスクリーン２巻戻し方向にさらに回転させると、中間パイプ７が回転して、スクリーン２が下方へ案内され、ボトムバー１５が下降する。そして、ボトムバー１５を最下限まで下降させると、天窓及び垂直窓が全閉状態となる。
【００３４】
上記のように構成された天窓用ロールブラインドでは、次に示す作用効果を得ることができる。
（１）操作コード１６の操作により、傾斜した天窓とその天窓に連なる垂直窓からの採光量を調節することができる。
（２）中間パイプ７がその移動範囲の下限以外に位置するとき、中間パイプ７の回転を阻止することができる。従って、天窓の中間部でのスクリーン２の垂れ下がりを確実に防止することができる。
（３）中間パイプ７を下限まで移動させて、天窓を全閉状態とした後は、中間パイプ７を回転可能として、スクリーン２を垂直窓に沿って円滑に昇降することができる。
（４）操作コード１６を操作して、ボトムバー１５でサイドプレート６を押し上げて、中間バー５及び中間パイプ７をガイドワイヤ３に沿って移動させることにより、天窓を容易に開放することができる。
【００３５】
上記実施の形態は、次に示すように変更することもできる。
・中間パイプ７は、ガイドワイヤ３で支持される中間バー５以外の手段で、天窓に沿って移動可能としてもよい。
・スクリーン保持装置は、ロックピン１０に形成された係止凸部１１以外の手段でもよい。
【００３６】
【発明の効果】
以上詳述したように、この発明はスクリーンを垂直窓に沿って円滑に昇降可能としながら、中間バーが天窓に沿って移動するとき、中間バーからのボトムバーの下降動作を確実に防止し得る天窓用ロールブラインドのスクリーン昇降装置を提供することができる。
【図面の簡単な説明】
【図１】  天窓用ロールブラインドを示す側面図である。
【図２】  中間バーの動作を示す側面図である。
【図３】  中間バーの動作を示す側面図である。
【符号の説明】
２            スクリーン
７            中間パイプ
６            スクリーン保持装置（サイドプレート）
８            スクリーン保持装置（歯車）
１０          スクリーン保持装置（ロックピン）
【図１】
0003798698.tif 000002
【図２】
0003798698.tif 000003
【図３】
0003798698.tif 000004